【手続補正書】
【提出日】平成17年1月27日(2005.1.27)
【手続補正１】
【補正対象書類名】特許請求の範囲
【補正対象項目名】全文
【補正方法】変更
【補正の内容】
【特許請求の範囲】
【請求項１】
生成或いは変化したデータを時間情報と対応させて記憶する記憶手段と、
所望の日時を設定する日時設定手段と、
上記設定された日時に対応したデータの状態を、上記時間情報に基づいて再現する制御手段とを有し、
上記記憶手段は、生成或いは変化したファイルを時間情報と対応させて記憶し、
上記日時設定手段は、過去又は未来の画面に応じて日時を設定し、
上記制御手段は、上記過去又は未来の画面に対応する日時のファイルを上記記憶手段から読み出して再現し、画面上に表示すると共に、この表示されるファイルの色を時間の経過と共に変化させて表示するように制御する
ことを特徴とする情報処理装置。
【請求項２】
上記ファイルは、文書ファイル、画像ファイル、または文字列である
ことを特徴とする請求項２記載の情報処理装置。
【請求項３】
生成或いは変化したデータを時間情報と対応させて記憶する記憶ステップと、
所望の日時を設定する日時設定ステップと、
上記設定された日時に対応したデータの状態を、上記時間情報に基づいて再現する制御ステップとを有し、
上記記憶ステップでは、生成或いは変化したファイルを時間情報と対応させて記憶し、
上記日時設定ステップでは、過去又は未来の画面に応じて日時を設定し、
上記制御ステップでは、上記過去又は未来の画面に対応する日時のファイルを再現し、画面上に表示すると共に、この表示されるファイルの色を時間の経過と共に変化させて表示するように制御する
ことを特徴とする情報処理方法。
【請求項４】
上記ファイルは、文書ファイル、画像ファイル、または文字列である
ことを特徴とする請求項３記載の情報処理方法。
【請求項５】
情報処理装置に、
生成或いは変化したデータを時間情報と対応させて記憶する記憶ステップと、
所望の日時を設定する日時設定ステップと、
上記設定された日時に対応したデータの状態を、上記時間情報に基づいて再現する制御ステップとを実行させるためのプログラムであって、
上記記憶ステップでは、生成或いは変化したファイルを時間情報と対応させて記憶し、
上記日時設定ステップでは、過去又は未来の画面に応じて日時を設定し、
上記制御ステップでは、上記過去又は未来の画面に対応する日時のファイルを再現し、画面上に表示すると共に、この表示されるファイルの色を時間の経過と共に変化させて表示するように制御する
ことを特徴とするプログラム。
【請求項６】
上記ファイルは、文書ファイル、画像ファイル、または文字列である
ことを特徴とする請求項５記載のプログラム。
【請求項７】
グラフィカルユーザインタフェースを備えた情報処理装置であって、
表示部と、
上記表示部に表示されるグラフィカルユーザインタフェースと、
その内部に情報を表示するオブジェクトと、
上記オブジェクトの色を、上記オブジェクトが上記グラフィカルインタフェース内に表示されたときからの時間の経過に対応して変化させる処理部と
を有することを特徴とする情報処理装置。
【請求項８】
上記変化は、風化処理であることを特徴とする請求項７記載の情報処理装置。
【請求項９】
グラフィカルユーザインタフェースを備えた情報処理装置の情報表示方法であって、
表示部にグラフィカルユーザインタフェースを表示するステップと、
上記グラフィカルユーザインタフェース内に、その内部に情報を表示するオブジェクトを表示するステップと、
上記オブジェクトの色を、上記オブジェクトが上記グラフィカルインタフェース内に表示されたときからの時間の経過に対応して変化させるステップと
を有することを特徴とする情報表示方法。
【請求項１０】
上記変化は、風化処理であることを特徴とする請求項９記載の情報表示方法。
【請求項１１】
グラフィカルユーザインタフェースを備えた情報処理装置に情報表示を行わせるためのプログラムであって、
上記情報処理装置に、
表示部にグラフィカルユーザインタフェースを表示するステップと、
上記グラフィカルユーザインタフェース内に、その内部に情報を表示するオブジェクトを表示するステップと、
上記オブジェクトの色を、上記オブジェクトが上記グラフィカルインタフェース内に表示されたときからの時間の経過に対応して変化させるステップと
を実行させることを特徴とするプログラム。
【請求項１２】
上記変化は、風化処理であることを特徴とする請求項１１記載のプログラム。
【請求項１３】
情報処理装置のグラフィカルユーザインタフェースであって、
表示領域内に、その内部に情報を表示するオブジェクトを有し、
上記オブジェクトの色が上記グラフィカルインタフェース内に表示されたときからの時間の経過に対応して徐々に変化する
ことを特徴とするグラフィカルユーザインタフェース。
【請求項１４】
上記変化は、風化処理であることを特徴とする請求項１３記載のグラフィカルユーザインタフェース。
【手続補正２】
【補正対象書類名】明細書
【補正対象項目名】発明の名称
【補正方法】変更
【補正の内容】
【発明の名称】情報処理装置及び方法、プログラム、情報表示方法並びにグラフィカルユーザインタフェース
【手続補正３】
【補正対象書類名】明細書
【補正対象項目名】０００１
【補正方法】変更
【補正の内容】
【０００１】
本発明は、情報処理装置及び方法、プログラム、情報表示方法並びにグラフィカルユーザインタフェースに関し、特に、ファイルの管理や各種情報のアクセス管理に好適な情報処理装置及び方法、プログラム、情報表示方法並びにグラフィカルユーザインタフェースに関する。
【手続補正４】
【補正対象書類名】明細書
【補正対象項目名】００１２
【補正方法】変更
【補正の内容】
【００１２】
そこで、本発明は、このような状況に鑑みてなされたものであり、ファイルやフォルダ、その他のデータの管理を容易にすることが可能であり、表示内容の時間経過が直感的に判定できるような情報処理装置及び方法、プログラム、情報表示方法並びにグラフィカルユーザインタフェースを提供することを目的とする。
【手続補正５】
【補正対象書類名】明細書
【補正対象項目名】００１５
【補正方法】変更
【補正の内容】
【００１５】
本発明に係るプログラムは、情報処理装置に、生成或いは変化したデータを時間情報と対応させて記憶する記憶ステップと、所望の日時を設定する日時設定ステップと、上記設定された日時に対応したデータの状態を、上記時間情報に基づいて再現する制御ステップとを実行させるためのプログラムであって、上記記憶ステップでは、生成或いは変化したファイルを時間情報と対応させて記憶し、上記日時設定ステップでは、過去又は未来の画面に応じて日時を設定し、上記制御ステップでは、上記過去又は未来の画面に対応する日時のファイルを再現し、画面上に表示すると共に、この表示されるファイルの色を時間の経過と共に変化させて表示するように制御することを特徴とする。
【手続補正６】
【補正対象書類名】明細書
【補正対象項目名】００１６
【補正方法】変更
【補正の内容】
【００１６】
また、本発明に係る情報処理装置は、グラフィカルユーザインタフェースを備えた情報処理装置であって、表示部と、上記表示部に表示されるグラフィカルユーザインタフェースと、その内部に情報を表示するオブジェクトと、上記オブジェクトの色を、上記オブジェクトが上記グラフィカルインタフェース内に表示されたときからの時間の経過に対応して変化させる処理部とを有することを特徴とする。
本発明に係る情報表示方法は、グラフィカルユーザインタフェースを備えた情報処理装置の情報表示方法であって、表示部にグラフィカルユーザインタフェースを表示するステップと、上記グラフィカルユーザインタフェース内に、その内部に情報を表示するオブジェクトを表示するステップと、上記オブジェクトの色を、上記オブジェクトが上記グラフィカルインタフェース内に表示されたときからの時間の経過に対応して変化させるステップとを有することを特徴とする。
本発明に係るプログラムは、グラフィカルユーザインタフェースを備えた情報処理装置に情報表示を行わせるためのプログラムであって、上記情報処理装置に、表示部にグラフィカルユーザインタフェースを表示するステップと、上記グラフィカルユーザインタフェース内に、その内部に情報を表示するオブジェクトを表示するステップと、上記オブジェクトの色を、上記オブジェクトが上記グラフィカルインタフェース内に表示されたときからの時間の経過に対応して変化させるステップとを実行させることを特徴とする。
【手続補正７】
【補正対象書類名】明細書
【補正対象項目名】００１７
【補正方法】変更
【補正の内容】
【００１７】
本発明に係るグラフィカルユーザインタフェースは、情報処理装置のグラフィカルユーザインタフェースであって、表示領域内に、その内部に情報を表示するオブジェクトを有し、上記オブジェクトの色が上記グラフィカルインタフェース内に表示されたときからの時間の経過に対応して徐々に変化することを特徴とする。
【手続補正８】
【補正対象書類名】明細書
【補正対象項目名】００２０
【補正方法】変更
【補正の内容】
【００２０】
図１乃至図６は、本発明の情報処理装置及び方法、プログラム、情報表示方法並びにグラフィカルユーザインタフェースが適用される一例としての携帯型パーソナルコンピュータの構成例を表している。このパーソナルコンピュータ１は、ミニノート型のパーソナルコンピュータとされ、基本的に、本体２と、本体２に対して開閉自在とされている表示部３により構成されている。図１は、表示部３を本体２に対して開いた状態を示す外観斜視図、図２は、図１の平面図、図３は、表示部３を本体２に対して閉塞した状態を示す左側側面図、図４は、表示部３を本体２に対して１８０度開いた状態を示す右側側面図、図５は、図３の正面図、図６は、図４の底面図である。